(57)【要約】【課題】情報配信システム１において、ユーザが素早く所望する情報を取得すること。【解決手段】情報を予め定められたカテゴリ別に蓄積するデータベース３１と、  携帯端末２からの情報要求を受信する情報要求受信手段としての制御部３２と、制御部３２により受信した携帯端末２からの情報要求によって指定されたカテゴリに属する情報をデータベース３１から読み出して携帯端末２に送信する情報送信手段としての制御部３２と、を備える固定端末３と、カテゴリを指定して固定端末３に対し、情報を要求する情報要求手段としての制御部１６と、固定端末３から送信された情報を受信する情報受信手段としての制御部１６と、を備える携帯端末２と、を備える。【選択図】図１
2010204905.tif 000002
【特許請求の範囲】
【請求項１】
情報を予め定められたカテゴリ別に蓄積する情報蓄積手段と、
携帯端末からの情報要求を受信する情報要求受信手段と、
上記情報要求受信手段により受信した携帯端末からの情報要求によって指定された上記カテゴリに属する上記情報を上記情報蓄積手段から読み出して上記携帯端末に送信する情報送信手段と、
を備える固定端末と、
上記カテゴリを指定して上記固定端末に対し、上記情報を要求する情報要求手段と、
上記情報送信手段から送信された上記情報を受信する情報受信手段と、
を備える携帯端末と、
を備える、
ことを特徴とする情報配信システム。
【請求項２】
情報を予め定められたカテゴリ別に蓄積する情報蓄積手段と、
携帯端末からの情報要求を受信する情報要求受信手段と、
上記情報要求受信手段により受信した携帯端末からの情報要求によって指定された上記カテゴリに属する上記情報を上記情報蓄積手段から読み出して上記携帯端末に送信する第一の情報送信手段と、
を備える第一の固定端末と、
上記携帯端末に対して上記カテゴリを指定して上記情報を要求する第一の情報要求手段と、
上記携帯端末から上記情報を受信する第一の情報受信手段と、
を備える第二の固定端末と、
上記第二の固定端末の上記第一の情報要求手段からの要求を受け付ける手段と、
上記第一の情報要求手段から要求された上記カテゴリを指定して上記第一の固定端末に対し、上記情報を要求する第二の情報要求手段と、
上記第一の情報送信手段から送信された上記情報を受信する第二の情報受信手段と、
上記第二の固定端末に対し、上記第二の情報受信手段により受信した上記情報を送信する第二の情報送信手段と、
を備える上記携帯端末と、
を備える、
ことを特徴とする情報配信システム。
【請求項３】
請求項１または２記載の情報配信システムにおいて、
前記情報は、前記固定端末または前記第一の固定端末の設置場所およびその周辺に係る情報である、
ことを特徴とする情報配信システム。
【請求項４】
固定端末が、
情報を予め定められたカテゴリ別に蓄積する情報蓄積ステップと、
携帯端末からの情報要求を受信する情報要求受信ステップと、
上記情報要求受信ステップの処理により受信した携帯端末からの情報要求によって指定された上記カテゴリに属する上記情報を上記携帯端末に送信する情報送信ステップと、
を実行し、
上記携帯端末が、
上記カテゴリを指定して上記固定端末に対し、上記情報を要求する情報要求ステップと、
上記情報送信ステップの処理により送信された上記情報を受信する情報受信ステップと、
を実行する、
ことを特徴とする情報配信方法。
【請求項５】
第一の固定端末が、
情報を予め定められたカテゴリ別に蓄積する情報蓄積ステップと、
携帯端末からの情報要求を受信するステップと、
上記情報要求受信手段により受信した携帯端末からの情報要求によって指定された上記カテゴリに属する上記情報を上記携帯端末に送信する第一の情報送信ステップと、
を実行し、
第二の固定端末が、
上記携帯端末に対して上記カテゴリを指定して上記情報を要求する第一の情報要求ステップと、
上記携帯端末から上記情報を受信する第一の情報受信ステップと、
を実行し、
上記携帯端末が、
上記第二の固定端末の上記第一の情報要求ステップの処理による要求を受け付けるステップと、
上記第一の情報要求ステップの処理により要求された上記カテゴリを指定して上記第一の固定端末に対し、上記情報を要求する第二の情報要求ステップと、
上記第一の情報送信ステップの処理により送信された上記情報を受信する第二の情報受信ステップと、
上記第二の固定端末に上記第二の情報受信ステップの処理により受信した上記情報を送信する第二の情報送信ステップと、
を実行する、
ことを特徴とする情報配信方法。
【請求項６】
請求項４または５記載の情報配信方法において、
前記情報は、前記固定端末または前記第一の固定端末の設置場所およびその周辺に係る情報である、
ことを特徴とする情報配信方法。
【請求項７】
情報を予め定められたカテゴリ別に蓄積する情報蓄積手段と、
携帯端末からの情報要求を受信する情報要求受信ステップと、
上記情報要求受信ステップの処理により受信した携帯端末からの情報要求によって指定された上記カテゴリに属する上記情報を上記情報蓄積手段から読み出して上記携帯端末に送信する情報送信手段と、
を備える、
ことを特徴とする固定端末。
【請求項８】
カテゴリを指定して請求項７記載の固定端末に対し、情報を要求する情報要求手段と、
上記情報送信手段から送信された上記情報を受信する情報受信手段と、
を備える、
ことを特徴とする携帯端末。
【請求項９】
情報処理装置にインストールすることにより、その情報処理装置に、請求項７記載の固定端末の機能を実現する、
ことを特徴とするプログラム。
【請求項１０】
情報処理装置にインストールすることにより、その情報処理装置に、請求項８記載の携帯端末の機能を実現する、
ことを特徴とするプログラム。
【発明の詳細な説明】
【技術分野】
【０００１】
本発明は、情報配信システム、情報配信方法、固定端末および携帯端末ならびにプログラムに関する。
【背景技術】
【０００２】
本明細書では、サーバなどのようにサービス提供者などが固定的な位置に設置して用いる端末を固定端末と呼ぶ。これに対し、ユーザが持つ携帯電話、ＰＤＡ(Personal Digital Assistant)、ＰＮＤ(Portable
Navigation Device)などを携帯端末と呼ぶ。
【０００３】
従来の固定端末５０から携帯端末５１への情報の転送手順について図９のフローチャートを参照しながら説明する。まず、固定端末５０と携帯端末５１とを接続する（ステップＳ１００）。接続方法としては、ケーブルによる有線接続や電波や光を用いた無線接続がある。固定端末５０と携帯端末５１との接続が完了すると、携帯端末５１のユーザは、所望する情報を検索するためのキーワードを、携帯端末５１を用いて入力し、固定端末５０に対して送信する（ステップＳ１０１）。固定端末５０は、携帯端末５１から入力されたキーワードに一致する情報を検索する（ステップＳ１０２）。この検索結果は、固定端末５０から携帯端末５１へと転送される（ステップＳ１０３）。携帯端末５１では、固定端末５０から転送された検索結果の中にユーザが所望する情報があれば（ステップＳ１０４でＹｅｓ）、固定端末５０に対して当該所望する情報の転送を要求する（ステップＳ１０５）。固定端末５０は、この要求に応じて情報を転送する（ステップＳ１０６）。
【０００４】
一方、ステップＳ１０３で固定端末５０から携帯端末５１に転送された検索結果の中に、ユーザが所望する情報が含まれていなければ（ステップＳ１０４でＮｏ）、ユーザは、携帯端末５１を用いてキーワードを再入力する（ステップＳ１０７）。そして、ステップＳ１０１からの手順を再度実行する。このような従来の情報配信システムの例については、例えば、特許文献１に開示されている。
【０００５】
次に、固定端末５０の動作手順を図１０のフローチャートに示す。また、携帯端末５１の動作手順を図１１のフローチャートに示す。すなわち、固定端末５０は、図１０に示すように、携帯端末５１との接続を確立する（ステップＳ２００でＹｅｓ）。続いて、固定端末５０は、携帯端末５１から送信された検索キーワードを取得する（ステップＳ２０１でＹｅｓ）。固定端末５０は、取得した検索キーワードに基づき情報の検索を行う（ステップＳ２０２）。固定端末５０は携帯端末５１に検索結果一覧を送信する（ステップＳ２０３）。携帯端末５１のユーザは、固定端末５０から転送された検索結果一覧の中から情報を選択し、その選択結果を図９のステップＳ１０５の情報転送要求に載せて固定端末５０に送信する。この情報転送要求に載せられた選択結果を固定端末５０で受信したら（ステップＳ２０４でＹｅｓ）、固定端末５０は、選択された情報を携帯端末５１に対して送信する（ステップＳ２０５）。
【０００６】
なお、携帯端末５１のユーザが固定端末５０から転送された検索結果一覧の中からいずれの情報も選択せず、選択結果が載せられていない情報転送要求が固定端末５０に届いたときには（ステップＳ２０４でＮｏ）、固定端末５０は、検索された情報を全て転送する（ステップＳ２０６）。また、携帯端末５１と固定端末５０との接続が確立できない場合（ステップＳ２００でＮｏ）や携帯端末５１と固定端末５０との接続が確立できても携帯端末５１からキーワードが取得できない場合（ステップＳ２０１でＮｏ）は、以降の処理は実行されない。
【０００７】
また、ステップＳ２０２の処理としては、検索キーワードに合致する情報が有り（ステップＳ２０７でＹｅｓ）、他の検索キーワードが無ければ（ステップＳ２０８でＹｅｓ）、固定端末５０は、転送対象となる情報を決定する（ステップＳ２０９）。この処理は、固定端末５０において、検索キーワードに合致する情報が有り（ステップＳ２０７でＹｅｓ）、他の検索キーワードが無くなるまで（ステップＳ２０８でＹｅｓ）、繰り返し実行される。
【０００８】
また、携帯端末５１は、図１１に示すように、ユーザからの検索キーワードの入力が有り（ステップＳ３００）、固定端末５０との接続が確立していれば（ステップＳ３０１でＹｅｓ）、検索キーワードを固定端末５０に送信する（ステップＳ３０３）。また、固定端末５０からの検索結果の一覧を取得し（ステップＳ３０４でＹｅｓ）、ユーザが一覧から情報を選択すれば（ステップＳ３０５でＹｅｓ）、その選択結果を情報転送要求に載せて固定端末５０に送信する（ステップＳ３０６）。
【０００９】
これに対し、固定端末５０は、選択結果に対応する情報を送信してくるので、携帯端末５１は、選択された情報を取得する（ステップＳ３０７）。また、ユーザが一覧からコンテンツを選択しなければ（ステップＳ３０５でＮｏ）、これに対し、固定端末５０は、検索された情報を全て送信してくるので、携帯端末５１は、検索された情報を全て取得する（ステップＳ３０８）。
【００１０】
また、ユーザからの検索キーワードの入力が有っても（ステップＳ３００）、固定端末５０との接続が確立できなければ（ステップＳ３０１でＮｏ）、以降の処理は実行されない。また、携帯端末５１が固定端末５０に検索キーワードを送信しても（ステップＳ３０３）、携帯端末５１が固定端末５０から検索結果一覧が取得できなければ（ステップＳ３０４でＮｏ）、以降の処理は実行されない。なお、「ステップＳ３００でＮｏ」および「ステップＳ３０４のＮｏ」において、それぞれＹｅｓとなるまでの待ち時間には制限を設け、タイムアウトしたら処理を中断することが好ましい。
【先行技術文献】
【特許文献】
【００１１】
【特許文献１】特開２００２−３４４６６３号公報
【発明の概要】
【発明が解決しようとする課題】
【００１２】
従来は、図９のフローチャートに示すように、ユーザの所望する情報が見つかるまでには、キーワード入力（ステップＳ１０１）、検索（ステップＳ１０２）、検索結果の転送（ステップＳ１０３）、キーワードの再入力（ステップＳ１０７）といった手順を繰り返す必要がある。これによれば、ごく短時間のうちに携帯端末５１が固定端末５０から所望する情報を取得することは困難である。
【００１３】
また、一般的に携帯端末５１の操作部、表示部は小さく、それらの操作性、視認性は高いものではない。そのような状況下において、再三にわたるキーワードの入力などの作業は、きわめて煩わしい作業である。
【００１４】
また、固定端末５０と携帯端末５１とを長い時間にわたり接続し、検索を行うような状況下においては、次に待っているユーザが固定端末５０を速やかに使用できず、ユーザの利便性が低下する。また、固定端末５０の利用効率の観点からみても好ましくない。
【００１５】
本発明は、このような背景の下に行われたものであって、ユーザが素早く所望する情報を取得することができる情報配信システム、情報配信方法、固定端末および携帯端末ならびにプログラムを提供することを目的とする。
【課題を解決するための手段】
【００１６】
本発明の第一の観点は、情報配信システムである。すなわち、本発明の情報配信システムは、情報を予め定められたカテゴリ別に蓄積する情報蓄積手段と、携帯端末からの情報要求を受信する情報要求受信手段と、情報要求受信手段により受信した携帯端末からの情報要求によって指定されたカテゴリに属する情報を情報蓄積手段から読み出して携帯端末に送信する情報送信手段と、を備える固定端末と、カテゴリを指定して固定端末に対し、情報を要求する情報要求手段と、情報送信手段から送信された情報を受信する情報受信手段と、を備える携帯端末と、を備えるものである。
【００１７】
あるいは、本発明の情報配信システムは、情報を予め定められたカテゴリ別に蓄積する情報蓄積手段と、携帯端末からの情報要求を受信する情報要求受信手段と、情報要求受信手段により受信した携帯端末からの情報要求によって指定されたカテゴリに属する情報を情報蓄積手段から読み出して携帯端末に送信する第一の情報送信手段と、を備える第一の固定端末と、携帯端末に対してカテゴリを指定して情報を要求する第一の情報要求手段と、携帯端末から情報を受信する第一の情報受信手段と、を備える第二の固定端末と、第二の固定端末の第一の情報要求手段からの要求を受け付ける手段と、第一の情報要求手段から要求されたカテゴリを指定して第一の固定端末に対し、情報を要求する第二の情報要求手段と、第一の情報送信手段から送信された情報を受信する第二の情報受信手段と、第二の固定端末に対し、第二の情報受信手段により受信した情報を送信する第二の情報送信手段と、を備える携帯端末と、を備えるものである。
【００１８】
例えば、情報は、固定端末または第一の固定端末の設置場所およびその周辺に係る情報である。
【００１９】
本発明の第二の観点は、情報配信方法である。すなわち、本発明の情報配信方法は、固定端末が、情報を予め定められたカテゴリ別に蓄積する情報蓄積ステップと、携帯端末からの情報要求を受信する情報要求受信ステップと、情報要求受信ステップの処理により受信した携帯端末からの情報要求によって指定されたカテゴリに属する情報を携帯端末に送信する情報送信ステップと、を実行し、携帯端末が、カテゴリを指定して固定端末に対し、情報を要求する情報要求ステップと、情報送信ステップの処理により送信された情報を受信する情報受信ステップと、を実行するものである。
【００２０】
あるいは、本発明の情報配信方法は、第一の固定端末が、情報を予め定められたカテゴリ別に蓄積する情報蓄積ステップと、携帯端末からの情報要求を受信する情報要求受信ステップと、情報要求受信ステップの処理により受信した携帯端末からの情報要求によって指定されたカテゴリに属する情報を携帯端末に送信する第一の情報送信ステップと、を実行し、第二の固定端末が、携帯端末に対してカテゴリを指定して情報を要求する第一の情報要求ステップと、携帯端末から情報を受信する第一の情報受信ステップと、を実行し、携帯端末が、第二の固定端末の第一の情報要求ステップの処理による要求を受け付けるステップと、第一の情報要求ステップの処理により要求されたカテゴリを指定して第一の固定端末に対し、情報を要求する第二の情報要求ステップと、第一の情報送信ステップの処理により送信された情報を受信する第二の情報受信ステップと、第二の固定端末に第二の情報受信ステップの処理により受信した情報を送信する第二の情報送信ステップと、を実行するものである。
【００２１】
例えば、情報は、固定端末または前記第一の固定端末の設置場所およびその周辺に係る情報である。
【００２２】
本発明の第三の観点は、固定端末である。すなわち、本発明の固定端末は、情報を予め定められたカテゴリ別に蓄積する情報蓄積手段と、携帯端末からの情報要求を受信する情報要求受信手段と、情報要求受信手段により受信した携帯端末からの情報要求によって指定されたカテゴリに属する情報を情報蓄積手段から読み出して携帯端末に送信する情報送信手段と、を備えるものである。
【００２３】
本発明の第四の観点は、携帯端末である。すなわち、本発明の携帯端末は、カテゴリを指定して本発明の固定端末に対し、情報を要求する情報要求手段と、情報送信手段から送信された情報を受信する情報受信手段と、を備えるものである。
【００２４】
本発明の第五の観点は、プログラムである。すなわち、本発明のプログラムは、情報処理装置にインストールすることにより、その情報処理装置に、本発明の固定端末の機能を実現するものである。
【００２５】
あるいは、本発明のプログラムは、情報処理装置にインストールすることにより、その情報処理装置に、本発明の携帯端末の機能を実現するものである。
【発明の効果】
【００２６】
本発明によれば、ユーザが素早く所望する情報を取得することができる。
【図面の簡単な説明】
【００２７】
【図１】本発明の第一の実施の形態に係る情報配信システムの全体構成図である。
【図２】図１に示す情報配信システムの全体的な動作手順を説明するためのタイミングチャートを示す図である。
【図３】図１に示す情報配信システムの固定端末に新規情報を記憶させる際の動作手順を示すフローチャートを示す図である。
【図４】図１に示す情報配信システムの固定端末の動作手順を示すフローチャートを示す図である。
【図５】図１に示す情報配信システムの携帯端末の動作手順を示すフローチャートを示す図である。
【図６】図１に示す情報配信システムの固定端末の設置形態の一例を示す図である。
【図７】本発明の第二の実施の形態に係る情報配信システムの全体構成図である。
【図８】図７に示す情報配信システムの全体的な動作手順を説明するためのタイミングチャートを示す図である。
【図９】従来の情報配信システムの全体的な動作手順を説明するためのフローチャートを示す図である。
【図１０】図９に示す情報配信システムの固定端末の動作手順を示すフローチャートを示す図である。
【図１１】図９に示す情報配信システムの携帯端末の動作手順を示すフローチャートを示す図である。
【発明を実施するための形態】
【００２８】
（本発明の実施の形態に係る情報配信システム１の構成について）
本発明の実施の形態に係る情報配信システム１の構成を図１を参照して説明する。情報配信システム１は、携帯端末２、固定端末３を備える。携帯端末２は、外部インタフェース１０、外部入力端子１１、操作部１２、表示部１３、出力部１４、記憶部１５、制御部１６、エンコーダ／デコーダ１７、ディジタル／アナログ変換部１８、アナログ／ディジタル変換部１９、増幅部２０を備える。また、固定端末３は、外部インタフェース３０、データベース３１、制御部３２を備える。
【００２９】
なお、携帯端末２は、例えば、ユーザが持つ携帯電話、ＰＤＡ、ＰＮＤなどである。また、固定端末３は、特定の場所に固定的に設置されている端末であり、その形態はその設置場所に応じて様々な形態をとり得る。
【００３０】
携帯端末２の外部インタフェース１０は、他機器との接続インタフェースである。例えば、他機器は固定端末３である。また、固定端末３と携帯端末２との間の接続方法については、近接高速通信などの無線通信を用いる。近接高速通信では、外部インタフェース１０を他機器に対して３ｃｍ以内に近接させ、実行レート３７５Ｍｂｐｓのデータ転送を可能とする方式（例えば、ＴｒａｎｓｆｅｒＪｅｔ（登録商標））が知られている。
【００３１】
外部入力端子１１は、アナログ信号の入力端子である。例えば、携帯端末２が携帯電話であればマイクロフォンの入力端子になる。
【００３２】
操作部１２は、文字、数字、記号などの入力キーやスクロール方向を指定するための十字キーなどを備える。および／または、タッチパネルを備える。
【００３３】
表示部１３は、画像情報やテキスト情報を表示するための表示画面を備える。
【００３４】
出力部１４は、アナログ信号の出力部である。例えば、携帯端末２が携帯電話であればスピーカやイヤホンである。あるいは、スピーカやイヤホンの接続端子であってもよい。
【００３５】
記憶部１５は、予め携帯端末２において設定されている各種情報や固定端末３から転送された各種情報を記憶するためのメモリを備える。
【００３６】
制御部１６は、各部を制御するためのＣＰＵ(Central Processing Unit)やＤＳＰ(Digital Signal
Processor)を備える。
【００３７】
エンコーダ／デコーダ１７は、記憶部１５に記憶されている符号化されたディジタル信号をデコードしたり、あるいは、記憶部１５に記憶するディジタル信号をエンコードする機能を備える。
【００３８】
ディジタル／アナログ変換部１８は、エンコーダ／デコーダ１７から出力されるディジタル信号をアナログ信号に変換して増幅部２０に出力する。アナログ／ディジタル変換部１９は、外部入力端子１１から入力されるアナログ信号をディジタル信号に変換してエンコーダ／デコーダ１７に出力する。
【００３９】
増幅部２０は、ディジタル／アナログ変換部１８から出力されるアナログ信号を増幅して出力部１４に出力する。
【００４０】
固定端末３の外部インタフェース３０は、携帯端末２の外部インタフェース１０と接続するための機能を有する。その他にも外部インタフェース３０は、データベース３１を更新するための外部装置（不図示）などと接続するための機能を有する。
【００４１】
制御部３２は、外部インタフェース３０、データベース３１を制御するためのＣＰＵやＤＳＰを備える。
【００４２】
データベース３１は、カテゴリ毎の各種情報が記憶されるメモリ（例えば、ＨＤＤ(Hard Disc Drive)、フラッシュメモリなど）を備える。すなわち、データベース３１は複数の記憶領域を有し、各記憶領域がそれぞれのカテゴリに対応する。
【００４３】
（本発明の第一の実施の形態に係る情報配信システム１の動作について）
次に、本発明の第一の実施の形態に係る情報配信システム１の動作について図２のタイミングチャートを参照して説明する。前提として携帯端末２と固定端末３の双方において共通となるカテゴリ設定が行われている。カテゴリの例としては、「食事」、「宿泊」、「観光」、「渋滞」、「事故」、「乗り換え」、「運行」、「気候」、「地域」、「施設」、「休憩」、「イベント」、「アトラクション」、「混雑」、「店舗」、「映画」、「アニメ」、「動画」などがある。
【００４４】
固定端末３は、その設置場所によって不必要なカテゴリがあるため、設置場所によって設定されるカテゴリは異なる。例えば、固定端末３が高速道路のサービスエリアやパーキングエリアに設置されているとする。その場合、固定端末３は「乗り換え」、「アトラクション」、「映画」、「アニメ」、「動画」などのカテゴリの情報は通常必要としない。
【００４５】
すなわち、情報配信システム１では、携帯端末２のユーザが操作部１２を操作することにより制御部１６に対し、取得したい情報のカテゴリを指示する。制御部１６は、ユーザの取得したい情報のカテゴリを操作部１２を介して指示されると、図２に示すように、取得したい情報のカテゴリを固定端末３に送信する（タイミングＴ１）。固定端末３では、制御部３２が外部インタフェース３０を介してこの指示を受信する。この指示は、請求項でいう情報要求である。
【００４６】
制御部３２は、携帯端末２から指示されたカテゴリの情報がデータベース３１のどの記憶領域に格納されているかなどを特定するなどして、指定されたカテゴリの情報の転送を準備する（タイミングＴ２）。制御部３２は、当該情報の転送の準備が出来次第に携帯端末２に対して当該情報を転送する（タイミングＴ３）。
【００４７】
携帯端末２では、固定端末３から転送された情報を外部インタフェース１０を介して受信して記憶部１５に記憶させる（タイミングＴ４）。また、制御部１６は、ユーザの操作部１２からの指示に基づいて記憶部１５に記憶された情報を表示部１３に表示させる（タイミングＴ５）。
【００４８】
次に、固定端末３のデータベース３１に新規情報を記憶する手順について図３のフローチャートを参照して説明する。このとき固定端末３は、データベース３１を更新するための外部装置（不図示）と外部インタフェース３０を介して接続されているものとする。
【００４９】
外部装置からデータベース３１に対して新規情報を記憶させるためのアクセスがなされたとき（ステップＳ１でＹｅｓ）、制御部３２は、その新規情報のファイル名、タグ情報などを解析する（ステップＳ２）。制御部３２は、この解析によって新規情報が属するべきカテゴリを認識する。このときに、データベース３１に既に格納されている情報のカテゴリにおいて、対応するカテゴリがあれば（ステップＳ３でＹｅｓ）、新規情報をその対応するカテゴリのデータベース３１の記憶領域に記憶させる（ステップＳ４）。
【００５０】
一方、データベース３１に既に格納されている情報のカテゴリにおいて、新規情報が属するべきカテゴリに対応するカテゴリが無ければ（ステップＳ３でＮｏ）、新規カテゴリ候補に対応するカテゴリが有るか否かを調べる（ステップＳ５）。すなわち、固定端末３にとって不必要なカテゴリではないが、未だそのカテゴリに属する情報が記憶されていない場合がある。このようなカテゴリを新規カテゴリ候補と呼ぶ。
【００５１】
例えば、固定端末３が高速道路のサービスエリアまたはパーキングエリアに設置されている場合に、「食事」、「観光」、「渋滞」、「事故」のカテゴリは既に有するが「店舗」、「施設」といったカテゴリは未だ有していないとする。しかしながら、高速道路のサービスエリアまたはパーキングエリアには、各種の店舗や施設が設けられている。よって、この固定端末３が新たに「店舗」、「施設」といったカテゴリを有することは問題がない。このようなときには、「店舗」、「施設」が新規カテゴリ候補となる。
【００５２】
ステップＳ５で新規情報に対応するカテゴリが新規カテゴリ候補に有れば（ステップＳ５でＹｅｓ）、その新規カテゴリを生成し（ステップＳ６）、ステップＳ４の処理を行う。しかしながら、ステップＳ５で新規情報に対応するカテゴリが新規カテゴリ候補に無ければ（ステップＳ５でＮｏ）、新規情報を「その他」のカテゴリに分類し（ステップＳ７）、ステップＳ４の処理を行う。
【００５３】
なお、ステップＳ７において「その他」のカテゴリに分類される情報とは、言い換えれば、固定端末３が有するカテゴリに相応しくないカテゴリの情報であるということである。よって、ステップＳ７において「その他」のカテゴリに分類する代わりに、当該情報を廃棄してもよい。
【００５４】
次に、固定端末３の動作手順を図４のフローチャートを参照しながら説明する。固定端末３は、外部インタフェース３０を介して携帯端末２との通信を確立し（ステップＳ１０でＹｅｓ）、固定端末３の制御部３２は、携帯端末２が選択したカテゴリの情報を取得する（ステップＳ１１）。このときに、制御部３２は、データベース３１に対応するカテゴリの記憶領域が有れば（ステップＳ１２でＹｅｓ）、対応するカテゴリに属する情報を携帯端末２に全て送信する（ステップＳ１３）。
【００５５】
次に、携帯端末２の動作手順を図５のフローチャートを参照しながら説明する。ユーザが操作部１２の操作によってカテゴリを選択し（ステップＳ２０）、固定端末３との通信が外部インタフェース１０を介して確立すると（ステップＳ２１でＹｅｓ）、携帯端末２の制御部１６は、そのカテゴリ情報を固定端末３に送信する（ステップＳ２２）。携帯端末２の制御部１６は、送信したカテゴリ情報に対応する情報が固定端末３から送信され、この情報を受信すると（ステップＳ２３でＹｅｓ）、受信した情報を記憶部１５に記憶する（ステップＳ２４）。これにより、ユーザは、操作部１２を操作し、表示部１３に記憶部１５に記憶された情報を表示させることができる。
【００５６】
（固定端末３の設置場所とカテゴリ設定の実施の形態について）
次に、情報配信システム１における固定端末３の設置場所とカテゴリ設定の実施の形態について説明する。
【００５７】
（１）設置場所：高速道路のサービスエリア（以降ＳＡと記す）またはパーキングエリア（以降ＰＡと記す）の例
この場合には、カテゴリは、例えば「食事」、「渋滞」、「事故」、「宿泊」、「観光」などである。携帯端末２の例としては、携帯電話、携帯型メディアプレイヤ、ＰＤＡ、ＰＮＤなどである。固定端末３の設置形態としては、例えば、ＳＡまたはＰＡ内の歩行者通路上に備えられる円柱状または角柱状のポストとしての設置形態がある。このポストの最上部に外部インタフェース３０を備える。このポストとしての固定端末３の外観を図６に示す。図６に示すように、ユーザは、ポストとしての固定端末３の最上部にある外部インタフェース３０に対し、携帯端末２の外部インタフェース１０を近接させる。なお、このポストの地上からの高さは、例えば、標準的な大人の腰くらいの高さとする。あるいは、固定端末３は、ＳＡまたはＰＡ内の食堂や売店の壁面などに埋め込まれてもよい。このときには、壁面と同一面上に外部インタフェース３０を備える。
【００５８】
例えば、カテゴリが「食事」である場合、携帯端末２には固定端末３からＳＡまたはＰＡ内の飲食店情報、お勧め情報、直近出口近隣の飲食店情報などが提供される。
【００５９】
例えば、カテゴリが「渋滞」である場合、携帯端末２には固定端末３からＳＡまたはＰＡ周辺高速道路の渋滞情報、渋滞予測情報、周辺高速道路に接続する一般道路の渋滞情報、渋滞予測情報などが提供される。
【００６０】
例えば、カテゴリが「事故」である場合、携帯端末２には固定端末３からＳＡまたはＰＡ周辺高速道路の事故情報、事故多発地点情報などが提供される。
【００６１】
例えば、カテゴリが「宿泊」である場合、携帯端末２には固定端末３からＳＡまたはＰＡ周辺地域の当日宿泊可能な施設情報（特徴、施設内外写真、食事例など）、この施設情報が複数有るときにはその料金順の情報、連泊可能情報、割引情報（クーポンなど）などが提供される。
【００６２】
例えば、カテゴリが「観光」である場合、携帯端末２には固定端末３からＳＡまたはＰＡ周辺地域や直近出口周辺地域の観光地点情報、施設情報、観光内容情報、お勧め情報、割引情報（クーポンなど）、イベント情報などが提供される。
【００６３】
あるいは、ＳＡまたはＰＡではなく、料金所において同様の情報提供サービスを行ってもよい。この場合には、外部インタフェース３０は、ＥＴＣ(Electric Toll Collection System)などで用いられている中距離高速通信方式を用いる。また、このときには、料金所が入口である場合は入口より所定範囲内のＳＡまたはＰＡに関する情報を提供し、料金所が出口である場合は出口周辺の情報を提供することが好ましい。
【００６４】
（２）設置場所：駅（電車の駅、道の駅、バス停なども含む）の例
この場合には、カテゴリは、例えば「食事」、「宿泊」、「観光」、「運行」、「乗り換え」などである。携帯端末２の例としては、携帯電話、携帯型メディアプレイヤ、ＰＤＡ、ＰＮＤなどである。固定端末３の設置形態は、例えば、図６に示すように、プラットホームなどの通路上に備えられる円柱状または角柱状のポストである。あるいは、自動改札機や自動券売機に固定端末３の機能を持たせてもよい。このときには、プリペイドカードなどのＩＣ(Integrated Circuit)カードの読取部が外部インタフェース３０と共用になる。
【００６５】
例えば、カテゴリが「食事」である場合、携帯端末２には固定端末３から駅周辺の飲食店情報、お勧め情報などが提供される。なお、到着駅周辺の情報が欲しい場合には、到着駅名もカテゴリとして入力する。すなわち、カテゴリが「食事」であり、到着駅周辺の情報が欲しい場合には、「到着駅名＋食事」がカテゴリとなる。このときには、固定端末３のデータベース３１においてもそのようなカテゴリ分類を行う。
【００６６】
例えば、カテゴリが「宿泊」である場合、携帯端末２には固定端末３から駅周辺の当日宿泊可能な施設情報（特徴、施設内外写真、食事例など）、この施設情報が複数有るときにはその料金順の情報、連泊可能情報、割引情報（クーポンなど）などが提供される。なお、到着駅周辺の情報が欲しい場合には、上述したように、「到着駅名＋宿泊」がカテゴリとなる。
【００６７】
例えば、カテゴリが「観光」である場合、携帯端末２には固定端末３から駅周辺地域の観光地点情報、施設情報、観光内容情報、お勧め情報、割引情報（クーポンなど）、イベント情報などが提供される。なお、到着駅周辺の情報が欲しい場合には、上述したように、「到着駅名＋観光」がカテゴリとなる。
【００６８】
例えば、カテゴリが「運行」である場合、携帯端末２には固定端末３からその駅での現時点以降の発着情報、遅延情報、終電情報などが提供される。
【００６９】
例えば、カテゴリが「乗り換え」である場合、携帯端末２には固定端末３からその駅での接続路線情報、接続路線の発着情報などが提供される。
【００７０】
（３）設置場所：港（空港、船舶の港を含む）の例
この場合には、カテゴリは、例えば「宿泊」、「観光」、「気候」などである。携帯端末２の例としては、携帯電話、携帯型メディアプレイヤ、ＰＤＡ、ＰＮＤなどである。固定端末３の設置形態は、例えば、図６に示すように、港内の通路上に備えられる円柱状または角柱状のポストである。あるいは、搭乗券の自動券売機や自動改札機に固定端末３の機能を持たせてもよい。
【００７１】
例えば、カテゴリが「宿泊」である場合、携帯端末２には固定端末３から港周辺の当日宿泊可能な施設情報（特徴、施設内外写真、食事例など）、この施設情報が複数有るときにはその料金順の情報、連泊可能情報、割引情報（クーポンなど）などが提供される。
【００７２】
なお、到着地周辺の情報が欲しい場合には、到着地名もカテゴリとして入力する。すなわち、カテゴリが「宿泊」であり、到着地の情報が欲しい場合には、「到着地名＋宿泊」がカテゴリとなる。このときには、固定端末３のデータベース３１においてもそのようなカテゴリ分類を行う。
【００７３】
例えば、カテゴリが「観光」である場合、携帯端末２には固定端末３から港周辺地域の観光地点情報、施設情報、観光内容情報、お勧め情報、割引情報（クーポンなど）、イベント情報などが提供される。なお、到着地周辺の情報が欲しい場合には、上述したように、「到着地名＋観光」がカテゴリとなる。
【００７４】
例えば、カテゴリが「気候」である場合、携帯端末２には固定端末３から到着地周辺の到着時刻天気予報、週間天気予報などが提供される。なお、出発地周辺の天気予報が知りたいときには、「出発地名＋気候」がカテゴリとなる。
【００７５】
（４）設置場所：特定の地域（例えば、博物館、美術館、史跡などがある地域）の例
この場合には、カテゴリは、例えば「地図」、「地域」、「施設」などである。携帯端末２の例としては、携帯電話、携帯型メディアプレイヤ、ＰＤＡ、ＰＮＤなどである。固定端末３の設置形態は、例えば、図６に示すように、歩道上に備えられる円柱状または角柱状のポストである。あるいは、博物館、美術館、史跡などの入場券等の自動券売機や自動改札機に固定端末３の機能を持たせてもよい。
【００７６】
例えば、カテゴリが「地図」である場合、携帯端末２には固定端末３から周辺地域の広域地図情報、詳細地図情報などが提供される。なお、詳細地図情報の提供ついては、携帯端末２がＰＮＤなどのようにナビゲーション機能を有する場合に適する。
【００７７】
例えば、カテゴリが「地域」である場合、携帯端末２には固定端末３から地域の歴史情報、史跡情報などが提供される。
【００７８】
例えば、カテゴリが「施設」である場合、携帯端末２には固定端末３から周辺地域の施設情報、行き方情報などが提供される。
【００７９】
（５）設置場所：博物館、美術館、史跡などの施設内の例
この場合には、カテゴリは、例えば「食事」、「休憩」、「混雑」、「イベント」、「店舗」、「アトラクション」などである。携帯端末２の例としては、携帯電話、携帯型メディアプレイヤ、ＰＤＡ、ＰＮＤなどの他に施設内専用携帯端末などである。固定端末３の設置形態は、例えば、図６に示すように、施設内に備えられる円柱状または角柱状のポストである。あるいは、施設の入場券などの自動券売機や自動改札機に固定端末３の機能を持たせてもよい。
【００８０】
例えば、カテゴリが「食事」である場合、携帯端末２には固定端末３から施設内のレストラン、カフェ、軽食、自動販売機等の位置情報、メニュー情報、レストランの空席情報などが提供される。
【００８１】
例えば、カテゴリが「休憩」である場合、携帯端末２には固定端末３から施設内の休憩所、トイレ等の位置情報、設置設備情報などが提供される。
【００８２】
例えば、カテゴリが「混雑」である場合、携帯端末２には固定端末３から施設内の店舗の混雑情報、タイムサービス等による混雑予測情報、施設がテーマパークであれば各アトラクションの混雑情報、空き情報、待ち時間情報などが提供される。
【００８３】
例えば、カテゴリが「イベント」である場合、携帯端末２には固定端末３から施設内のイベント情報などが提供される。
【００８４】
例えば、カテゴリが「店舗」である場合、携帯端末２には固定端末３から施設内店舗の各情報、お勧め情報、バーゲン情報、割引情報（クーポンなど）などが提供される。
【００８５】
例えば、カテゴリが「アトラクション」である場合、携帯端末２には固定端末３から施設内アトラクションの概要情報、年齢制限情報、混雑情報などが提供される。
【００８６】
（６）設置場所：パーソナルコンピュータ、録画装置（ＨＤＤレコーダ）などの例
この場合には、携帯端末２の例としては、携帯電話、携帯型メディアプレイヤ、ＰＤＡ、ＰＮＤなどである。固定端末３は、パーソナルコンピュータ、録画装置などの機能の一部として実現する。固定端末３が動画を取得した際に取得した動画のタグ情報や録画した番組名、録画時刻、動画データのファイル名等に基づき、逐次データベース３１が更新される。
【００８７】
データベース３１には、タグ情報が記載されている情報やファイル名、番組名、出演者名などの一般的なカテゴリに加え、ファイル名や動画データが保存されているフォルダ名に含まれる代表的なキーワードも登録されている。
【００８８】
すなわち、上述したキーワードも一つのカテゴリとして扱われる。ここで、代表的なキーワードとは、予め設定された一般的に利用頻度の高いキーワードや、ユーザが予め登録したキーワードなどが該当する。例えば「ドラマ」、「映画」、「アニメ」、「インターネットの動画配信サイト」などである。
【００８９】
携帯端末２で、予め設定されているカテゴリを選択し、固定端末３に近接させて近接通信を行うと、選択したカテゴリに属する全ての動画データが転送される。例えば、選択したカテゴリが「ジャンル」であって、ジャンル＝ドラマである場合、動画ファイルのタグ情報等によってデータベースにジャンル＝ドラマとして登録された動画ファイルが転送対象となり携帯端末２に転送される。
【００９０】
なお、固定端末３がパーソナルコンピュータである場合には、そこに格納されている情報種別は様々である。よって、その場合には、コンテンツ種別が動画であることについてもカテゴリとして選択する必要がある。すなわち、携帯端末２では、「動画：ジャンル＝ドラマ」というように指定する。
【００９１】
これに加え、カテゴリ＝日付として、日付＝２００８／１２／１−２００８／１２／３とすると、ジャンル＝ドラマにおける２００８年１２月１日〜２００８年１２月３日に生成した動画ファイルが転送対象となる。特に、日付範囲を指定しなくても、予め「最新１週間分」、「未転送」などが設定されていてもよい。
【００９２】
コンテンツ種別が動画であり、選択カテゴリが「ジャンル」であって、ジャンル＝インターネットの動画配信サイトである場合、動画ファイルのタグ情報等によってデータベース３１にジャンル＝インターネットの動画配信サイトとして登録された動画ファイルが転送対象となり、携帯端末２に転送される。このジャンル情報は、インターネットの動画配信サイトから動画を取得した場合に付与されてもよい。また、フォルダ名が「インターネットの動画配信サイト」である場合も対象となる。
【００９３】
これに加え、カテゴリ＝日付として、日付＝２００８／１２／１−２００８／１２／３とすると、ジャンル＝インターネットの動画配信サイトにおける２００８年１２月１日〜２００８年１２月３日に生成した動画ファイルが転送対象となる。特に、日付範囲を指定しなくとも、予め「最新１週間分」、「未転送」などが設定されていてもよい。
【００９４】
（７）設置場所：据置型オーディオ装置、パーソナルコンピュータなどの例
この場合には、携帯端末２の例としては、携帯型オーディオプレイヤ、携帯電話、携帯型メディアプレイヤ、ＰＤＡ、ＰＮＤなどである。固定端末３は、据置型オーディオ装置やパーソナルコンピュータなどの一部の機能として実現する。固定端末３において楽曲データが蓄積されると、楽曲データのファイル名やタグ情報等に基づき、逐次データベース３１が更新される。
【００９５】
データベース３１には、タグ情報などに基づく、ジャンル、アーティスト、年代などの一般的なカテゴリに加え、アルバム名、フォルダ名、楽曲名に含まれる代表的なキーワードを含むアルバム、フォルダ、楽曲も登録される。
【００９６】
代表的なキーワードとは、予め設定された一般的に利用頻度の高いキーワードやユーザが予め登録したキーワードなどが該当する。例えば、「ＬＯＶＥ」、「ＤＲＥＡＭ」、「ＦＵＴＵＲＥ」、「ＳＷＥＥＴ」、「ＤＯＮ’Ｔ」、「ＡＧＡＩＮ」、「ＯＶＥＲ」、「ＢＡＣＫ」、「ＬＩＦＥ」、「ＣＡＴ」、「ＷＨＹ」などである。
【００９７】
携帯端末２で、予め設定されているカテゴリを選択し、固定端末３に近接させて近接通信を行うと、選択したカテゴリに属する全ての楽曲データが固定端末３から携帯端末２に転送される。
【００９８】
コンテンツ種別が楽曲であり、選択したカテゴリが「キーワード」であって、キーワードとして「ＬＯＶＥ」と選択し、携帯端末２から固定端末３に転送すると、以下の楽曲が携帯端末２への転送対象となる。
【００９９】
楽曲名＝Ｌｏｖｅ  ｉｓ  ＊＊＊．ｍｐ３
＝Ａｌｌ  Ｉ  ｎｅｅｄ  ｌｏｖｅ．ｍｐ３
＝愛の＊＊．ｍｐ３
など、キーワード＝ＬＯＶＥに関連する語句を楽曲名に含む全楽曲
アルバム名＝Ａｎｏｔｈｅｒ  ｌｏｖｅ
など、キーワード＝ＬＯＶＥに関連する語句をアルバム名に含む全楽曲
アーティスト名＝Ｊ  Ｋ  Ｌｏｖｅｒｓ
など、キーワード＝ＬＯＶＥに関連する語句をアーティスト名に含む全楽曲
【０１００】
（８）設置場所：フォトストレージ、パーソナルコンピュータなどの例
この場合には、携帯端末２の例としては、携帯電話、携帯型メディアプレイヤ、ＰＤＡ、ＰＮＤなどの他にディジタルフォトフレームなどである。固定端末３はフォトストレージやパーソナルコンピュータの機能の一部として実現する。固定端末３に画像データを蓄積する際に、画像データのＥＸＩＦ(Exchangeable Image File Format)情報に基づき、逐次データベース３１が更新される。さらに、画像データや画像データを含むフォルダに名称が付与されている場合は、その名称に基づき、逐次データベース３１が更新される。
【０１０１】
データベース３１には、ＥＸＩＦ情報に基づく、画像データ生成日、画像生成機器名、画像サイズ等の画像構成情報、絞り等の撮影情報などの一般的なカテゴリに加え、画像データの名称や画像データを含むフォルダ名称に含まれる代表的なキーワードも登録される。
【０１０２】
代表的なキーワードとは、予め設定された一般的に利用頻度の高いキーワードや、ユーザが予め登録したキーワードなどが該当する。例えば「旅行」、「紅葉」、「運動会」、「欧州」、「ヨーロッパ」、「フランス」、「パリ」、「正月」などである。携帯端末２で、予め設定されているカテゴリを選択し、固定端末３に近接させて近接通信を行うと、選択したカテゴリに属する全画像データが転送される。
【０１０３】
コンテンツ種別が画像であり、選択したカテゴリが「キーワード」であって、キーワードとして「旅行」、「２００８」と選択し、固定端末３との近接通信を行うと、以下の画像データが転送対象となり、携帯端末２に転送される。
【０１０４】
フォルダ名＝北海道旅行２００８年５月
など、キーワード＝旅行、２００８に関連する語句をフォルダ名に含む全画像
ファイル名＝長野旅行２００８１００１＿００１．ｊｐｇ
＝長野旅行２００８１００１＿００２．ｊｐｇ
など、キーワード＝旅行、２００８に関連する語句をファイル名に含む全画像
【０１０５】
また、コンテンツ種別が画像であり、選択したカテゴリが「キーワード」であって、キーワードとして「紅葉」、さらに選択したカテゴリが「画像生成機器名」であって、画像生成機器として「Ｎｉ  Ｄ＊＊＊」と選択し、固定端末３との近接通信を行うと、以下の画像データが転送対象となり、携帯端末２に転送される。
【０１０６】
フォルダ名＝２００６年１１月＿箱根紅葉
など、フォルダ名に「紅葉」を含むフォルダに格納された画像データにおいて、画像生成機器名＝Ｎｉ  Ｄ＊＊＊で撮影した全画像
ファイル名＝２００７１１２８＿芦ノ湖紅葉．ｊｐｇ
など、ファイル名に「紅葉」を含む画像データにおいて、画像生成機器名＝Ｎｉ  Ｄ＊＊＊で撮影した全画像
【０１０７】
上述した例では、コンテンツ種別を選択したが、コンテンツ種別を選択しなくてもよい。例えば、キーワードで「エジプト」を指定すると、ファイル名、番組名や番組情報に「エジプト」、「ＥＧＹＰＴ」が含まれているドキュメント番組、クイズ番組、関連する報道ニュースや動画、アーティスト名やアルバム名、楽曲名に「ＥＧＹＰＴ」、「エジプト」が含まれている楽曲、ファイル名やフォルダ名に「ＥＧＹＰＴ」、「エジプト」が含まれている画像、他には、ワープロ文書やＰＤＦファイル、ＨＴＭＬファイルなどの各種アプリケーションファイルを含めた全ファイルが転送対象となるようにしてもよい。
【０１０８】
（本発明の第一の実施の形態に係る情報配信システム１の効果について）
次に、情報配信システム１の効果について説明する。情報配信システム１の固定端末３の制御部３２は、データベース３１に対して詳細な情報検索を行う必要がない。すなわち、データベース３１に格納されている情報の中からカテゴリを選択するだけでよい。よって、処理時間を高速化することができる。
【０１０９】
また、携帯端末２についてもカテゴリを指定するだけでよく、手間のかかる検索作業を行う必要がない。よって、処理時間を高速化することができる。したがって、ユーザが素早く所望する情報を取得することができる。
【０１１０】
これにより、ユーザは、携帯端末２の小さな操作部１２、表示部１３を長時間操作または視認する必要がなく、ユーザの利便性を高めることができる。さらに、素早く情報を取得できるため、固定端末３を複数のユーザが効率良く利用することができる。例えば、何回も繰り返し検索動作を行うといった煩わしい操作を行わずに済むことは、ユーザにとって大きな利便性である。
【０１１１】
また、固定端末３は、自己の固定端末３が設置されている場所に係る特化した情報のみを蓄積すればよい。このため、不必要な情報を蓄積することが無くなるため、データベース３１の利用効率を高くすることができる。
【０１１２】
（本発明の第二の実施の形態に係る情報配信システム１Ａについて）
次に、本発明の第二の実施の形態に係る情報配信システム１Ａについて図７、図８を参照して説明する。情報配信システム１Ａは、情報配信システム１とは一部が異なる。以下では、第一の実施の形態と同一または同種の部材は同一または同一系の符号を用いて説明し、その説明を省略または簡略化し、かつ異なる部材について主に説明する。
【０１１３】
情報配信システム１Ａの構成は、図７に示すように、２台の固定端末３、３Ａと１台の携帯端末２Ａを備える。固定端末３については、第一の実施の形態と同じである。固定端末３Ａは、固定端末３の構成に加え、操作部３３、表示部３４を備える。これにより固定端末３Ａの制御部３２Ａは、ユーザの要求する情報を操作部３３からの操作入力によって認識する。また、制御部３２Ａは、ユーザの要求する情報を取得した後に、その情報を表示部３４に表示することができる。
【０１１４】
また、携帯端末２Ａは、携帯端末２と同じ構成であるが、携帯端末２Ａの制御部１６Ａは、固定端末３Ａから送信される情報要求を受け取り、これを固定端末３に転送する機能を有する。
【０１１５】
すなわち、図８に示すように、固定端末３Ａの制御部３２Ａは、ユーザが操作部３３を操作して入力した取得したい情報を認識する。制御部３２Ａは、この情報を一時的にデータベース３１に記憶しておいてもよい。
【０１１６】
ここで、携帯端末２Ａが固定端末３Ａに近接し、携帯端末２Ａの外部インタフェース１０と固定端末３Ａの外部インタフェース３０との間に通信が確立する。これを受けて制御部３２Ａは、固定端末３Ａのデータベース３１に記憶しておいた情報要求を外部インタフェース３０を介して携帯端末２Ａに転送する（タイミングＴ１０）。携帯端末２Ａの制御部１６Ａは、固定端末３Ａから情報要求を受け取ると、これを一時的に記憶部１５に記憶させる。
【０１１７】
ここで、携帯端末２Ａが固定端末３に近接し、携帯端末２Ａの外部インタフェース１０と固定端末３の外部インタフェース３０との間に通信が確立する。これを受けて制御部１６Ａは、情報要求を固定端末３に転送する（タイミングＴ１１）。固定端末３の制御部３２は、指定されたカテゴリの情報を転送準備する（タイミングＴ１２）。続いて、固定端末３の制御部３２は、携帯端末２Ａに対して情報転送する（タイミングＴ１３）。携帯端末２Ａは、受け取った情報を記憶部１５に記憶させる。なお、Ｔ１１〜Ｔ１３の動作手順は、第一の実施の形態で説明したとおりである。
【０１１８】
ここで再び、携帯端末２Ａが固定端末３Ａに近接し、携帯端末２Ａの外部インタフェース１０と固定端末３Ａの外部インタフェース３０との間に通信が確立する。固定端末３Ａの制御部３２Ａは、指定されたカテゴリの情報の受信準備をする（タイミングＴ１４）。携帯端末２Ａの制御部１６Ａは、記憶部１５に記憶してある先ほどの情報を固定端末３Ａに転送する（タイミングＴ１５）。固定端末３Ａの制御部３２Ａは、携帯端末２Ａから情報を受け取るとこの情報をデータベース３１に格納する。これにより、固定端末３Ａは、ユーザが所望する情報を取得することができる。
【０１１９】
例えば、固定端末３Ａは車載されたナビゲーション装置であるとする。そして、固定端末３は、サービスエリアまたはパーキングエリアに設置された情報提供端末（図６のポストなど）であるとする。このときに、固定端末３Ａ自体は車載されており、車外に設置されている固定端末３とは直接的には接続不可能である。
【０１２０】
このような状況下において、例えば、携帯電話である携帯端末２Ａを、ナビゲーション装置である固定端末３Ａに近接させることにより、固定端末３Ａのユーザが所望する情報を携帯端末２Ａに認識させる。これを車外にある固定端末３に近接させることにより、携帯端末２Ａは固定端末３からユーザが所望する情報を受け取ることができる。この携帯端末２Ａを車内にある固定端末３Ａに近接させることにより、携帯端末２Ａから固定端末３Ａにユーザが所望する情報が転送される。
【０１２１】
（本発明の第二の実施の形態に係る情報配信システム１Ａの効果について）
次に、情報配信システム１Ａの効果について説明する。情報配信システム１Ａでは、固定端末３Ａのユーザが所望する情報を、直接的には情報の送受信が不可能である固定端末３から携帯端末２Ａを仲介して固定端末３Ａが受け取ることができる。
【０１２２】
これにより、固定端末３Ａが取得可能となる情報種類を大幅に増やすことができる。また、固定端末３Ａが携帯端末２Ａを介して固定端末３から取得する情報は、その場所において有用な情報に限定される。これにより、固定端末３Ａのデータベース３１の有効利用を図ることができる。
【０１２３】
（プログラムの実施の形態）
また、携帯端末２、２Ａ、固定端末３、３Ａの各部は、所定のプログラムにより動作する汎用の情報処理装置（ＣＰＵ、ＤＳＰ、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、携帯端末２、２Ａ、固定端末３、３Ａの各部の機能が実現される。また、その他の機能についてもソフトウェアにより実現可能な機能については汎用の情報処理装置とプログラムとによって実現することができる。
【０１２４】
なお、汎用の情報処理装置が実行する制御プログラムは、携帯端末２、２Ａ、固定端末３、３Ａの出荷前に、汎用の情報処理装置のメモリなどに記憶されたものであっても、携帯端末２、２Ａ、固定端末３、３Ａの出荷後に、汎用の情報処理装置のメモリなどに記憶されたものであってもよい。また、制御プログラムの一部が、携帯端末２、２Ａ、固定端末３、３Ａの出荷後に、汎用の情報処理装置のメモリなどに記憶されたものであってもよい。携帯端末２、２Ａ、固定端末３、３Ａの出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【０１２５】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【０１２６】
このように、プログラムと汎用の情報処理装置とによって携帯端末２、２Ａ、固定端末３、３Ａの機能を実現することにより、携帯端末２、２Ａ、固定端末３、３Ａを大量に生産する際の時間およびコストを低く抑えることができる。
【０１２７】
（変形例）
本発明の実施の形態は、その要旨を逸脱しない限り、様々に変形が可能である。例えば、携帯端末２、２Ａの外部インタフェース１０と固定端末３、３Ａの外部インタフェース３０とは近接高速通信を用いて通信すると説明した。これをその他の様々な通信方式としてもよい。例えば、Ｂｌｅｕｔｏｏｔｈ（登録商標）などを用いてもよい。また、光通信を用いてもよい。あるいは、ケーブルを接続して有線通信を用いてもよい。
【符号の説明】
【０１２８】
１、１Ａ…情報配信システム、２、２Ａ…携帯端末、３、３Ａ…固定端末、１０、３０…外部インタフェース（情報送信手段、情報受信手段、情報要求受信手段）、１１…外部入力端子、１２…操作部、１３…表示部、１４…出力部、１５…記憶部、１６、１６Ａ、３２、３２Ａ…制御部（情報送信手段、情報要求手段、情報受信手段、情報要求受信手段、第一の情報送信手段、第一の情報要求手段、第一の情報受信手段、第二の情報要求手段、第二の情報送信手段、第二の情報受信手段）、１７…エンコーダ／デコーダ、１８…ディジタル／アナログ変換部、１９…アナログ／ディジタル変換部、２０…増幅部、３１…データベース（情報蓄積手段）
【図１】
2010204905.tif 000003
【図２】
2010204905.tif 000004
【図３】
2010204905.tif 000005
【図４】
2010204905.tif 000006
【図５】
2010204905.tif 000007
【図６】
2010204905.tif 000008
【図７】
2010204905.tif 000009
【図８】
2010204905.tif 000010
【図９】
2010204905.tif 000011
【図１０】
2010204905.tif 000012
【図１１】
2010204905.tif 000013